【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
医療コネクタであって、
入口ポートを有する本体であって、空洞と、本体の雄型ルアー部分を通じた少なくとも一つの出口ポートと、空洞を通って入口ポートから出口ポートまでの流路とを有する本体と、
本体に密閉的に接合された周辺部を有する弾性カップであって、弾性カップは空洞の中に突出するように構成され、それによって、空洞の流体容積を形成し、流路は流体容積を通る、弾性カップと、
雄型ルアー部分の先端を密閉する雄型ルアーの流路通じて延び、それによって医療コネクタが動作しないときに流路を閉じる引き込み可能なポストであって、弾性カップと接触するように構成された引き込み可能なポストと、
雄型ルアー部分の外面に沿って延び、引き込み可能なポストに接続された羽枝アームと、を備え、
医療コネクタが作動されたときに、雄型ルアー部分に対する羽枝アームの移動は、引き込み可能なポストを雄型ルアー部分の先端から離れる方向に押し、それによって医療コネクタを通じた流路を開くと共に、弾性カップを空洞の中に変形させ、それによって空洞の流体容積を減少させる、医療コネクタ。
【請求項２】
請求項１記載の医療コネクタにおいて、
ポストは、羽枝アームにかけられた力によって雄型ルアー部分の先端から離れる方向に押され、羽枝アームは、雄型ルアー部分が挿入される雌型ルアーの表面と接触する、医療コネクタ。
【請求項３】
請求項１記載の医療コネクタにおいて、
ポストは、ポストにかけられた力によって雄型ルアー部分の先端から離れる方向に押される、医療コネクタ。
【請求項４】
請求項１記載の医療コネクタにおいて、
医療コネクタの内部流量は、雄型ルアーの流体及び雄型ルアー部分の周りの流体が医療コネクタの不動作時に医療コネクタの中に引き戻されるように、医療コネクタの不動作時に増加される、医療コネクタ。
【請求項５】
請求項１記載の医療コネクタにおいて、
作動されないときにポストが閉じた位置に保持され、不動作時に閉じた位置に戻るように、ポストに張力をかける張力部材を更に備える、医療コネクタ。
【請求項６】
請求項５記載の医療コネクタにおいて、
張力部材は、弾性カップである、医療コネクタ。
【請求項７】
請求項５記載の医療コネクタにおいて、
張力部材は、スプリングである、医療コネクタ。
【請求項８】
請求項５記載の医療コネクタにおいて、
張力部材は、弾性蛇腹である、医療コネクタ。
【請求項９】
請求項１記載の医療コネクタにおいて、
本体は、入口ポートを有する上部と、雄型ルアー部分を有するベースとによって形成される、医療コネクタ。
【請求項１０】
請求項９記載の医療コネクタにおいて、
羽枝のアームは、ベースの通気孔を通じて延びる、医療コネクタ。
【請求項１１】
請求項９記載の医療コネクタにおいて、
ベースは、流体が雄型ルアー部分に流れるのを許容するチャンネルを含む、医療コネクタ。
【請求項１２】
請求項１記載の医療コネクタにおいて、
本体の内壁に形成された流れチャンネルを更に備える、医療コネクタ。
【請求項１３】
負の変位の自己密閉の医療コネクタを作動させるための方法であって、
前記方法は、
医療コネクタの雄型ルアーを第２のデバイスの雌型ルアーの中に挿入する挿入工程であって、雄型ルアーは、雄型ルアーの流れチャンネルを通じて延びると共に、雄型ルアーの出口ポートと密閉的に係合されたポストを有し、ポストは更に出口ポートに流体的に接続される流体容積を形成するように医療コネクタの空洞内に配置された弾性カップと係合する、挿入工程と、
医療コネクタの引き込み可能なポストに接合される羽枝のアームを雌型ルアーの表面と係合する係合工程と、
医療コネクタが雌型ルアーと係合されるときに羽枝のアームを雄型ルアーに対して配置し、それによって、雄型ルアーの出口ポートからポストを引き込み、それによって、医療コネクタを通じて流路を開き、医療コネクタの流体容積を減少させる工程と、を備える、
方法。
【請求項１４】
請求項１３記載の方法において、
医療コネクタは、作動されないときにポストが閉じた位置に保持され、不動作時に閉じた位置に戻るように、ポストに作用する張力部材を更に備える、方法。
【請求項１５】
請求項１３記載の方法において、
医療コネクタが動作されないときに張力部材によってポストにかけられる力を使用してポストを出口ポートの中に戻すことを更に備える、方法。
【請求項１６】
請求項１３記載の方法において、
医療コネクタが雌型ルアーから解放されたときに雄型ルアーに対して羽枝のアームをその元の位置に戻すことを可能にし、それによって、医療コネクタの内部流量を増加して、雄型ルアーの出口ポートの流体及び雄型ルアーの出口ポートの周りの流体が医療コネクタの中に引き戻される工程を更に備える、方法。
【請求項１７】
請求項１４記載の方法において、
張力部材は、弾性カップ、スプリング、弾性蛇腹のうちの一つである、方法。
【請求項１８】
医療コネクタであって、
シートリングを有する弾性カップと、
カップシートを有する、内部空洞に接合された入口ポートを備える本体上部と、
シールリングと、流れチャンネルに接合された出口ポートを有する雄型ルアーとを備えるベースと、を備え、
入口ポートと出口ポートとの間に流体的に接合される流体容積を形成するように、本体上部及びベースは、互いに密閉的に接合され、弾性カップは、本体上部の空洞内に配置され、弾性カップのシートリングは、カップシートとシールリングとの間に密閉的にとらえられ、
医療コネクタは、更に、
弾性カップと接触する羽枝上部と、
流れチャンネルを通って羽枝上部から伸びるポストであって、ポストの先端は、ポストが雄型ルアーの中に完全に延びるときに、雄型ルアーの出口ポートを密閉するように寸法づけられた、ポストと、
ベースの通気孔を通じて羽枝上部から延びると共に、雄型ルアーの外面に隣接した一つ以上の羽枝のアームと、を備え、
雄型ルアーに平行な方向でかつ出口ポートから離れた方向に羽枝のアームにかけられた圧力は、羽枝上部をはずし、それによって、内部空洞の中に弾性カップを変形させ、それによって、空洞の流体容積を減少させると共に、出口ポートからポストを引き出し、それによって、雄型ルアーの出口ポートを密閉せず、入口ポートと出口ポートとの間の流路を開く、医療コネクタ。
【請求項１９】
請求項１８記載の医療コネクタにおいて、
内部流量は、雄型ルアーの流体及び雄型ルアーの周りの流体が医療コネクタの不動作時に医療コネクタの中に引き戻されるように、弾性カップが不動作状態に戻されるように、医療コネクタの不動作時に増加される、医療コネクタ。
【請求項２０】
請求項１８記載の医療コネクタにおいて、
羽枝のアームにかけられる圧力は、雌型ルアーの上部にかけられる、医療コネクタ。
【請求項２１】
請求項１８記載の医療コネクタにおいて、
出口ポートから離れる方向にポストに沿って流体が流れるのを防止するためにポストに装着されたシールリングを更に備える、医療コネクタ。
【請求項２２】
請求項１８記載の医療コネクタにおいて、
弾性カップは、張力を羽枝上部にかけ、それによって、密閉位置の方にポストを付勢する、医療コネクタ。
【請求項２３】
医療コネクタであって、
入口ポートと、本体の雄型ルアー部分を通じた出口ポートと、入口ポートから出口ポートまでの流路とを有する本体と、
雄型ルアー部分の先端を密閉する雄型ルアーの流路通じて延び、それによって医療コネクタが動作しないときに流路を閉じる引き込み可能なポストと、
引き込み可能なポストと本体との間に配置された第１シールであって、空洞の一部分内に流体容積を形成するように構成され、流路は流体容積を通る、第１シールと、を備え、
医療コネクタが作動されたときに、引き込み可能なポストは、雄型ルアー部分の先端から離れる方向に押され、それによって、医療コネクタを通じた流路を開くと共に、空洞の流体容積を減少させる、医療コネクタ。
【請求項２４】
請求項２３記載の医療コネクタにおいて、
本体内に配置されると共に、雄型ルアーの先端の方に引き込み可能なポストを付勢するように構成されたスプリング要素を更に備える、医療コネクタ。
【請求項２５】
請求項２４記載の医療コネクタにおいて、
スプリング要素は、蛇腹バルブを備える、医療コネクタ。
【請求項２６】
請求項２５記載の医療コネクタにおいて、
蛇腹バルブは、流体が蛇腹バルブを通って出口ポートに入るのを許容するように構成されたスリットを備える、医療コネクタ。
【請求項２７】
請求項２３記載の医療コネクタにおいて、
引き込み可能なポストは、第１直径を有する第１部分と、第１直径よりも小さい第２直径を有する第２部分とを備え、
第１シールは、引き込み可能なポストの第１部分に配置され、
医療コネクタは、更に、引き込み可能なポストの第２部分と本体との間に配置された第２シールを更に備える、医療コネクタ。
【請求項２８】
請求項２３記載の医療コネクタにおいて、
雄型ルアーの流体及び雄型ルアー部分の周りの流体が不動作時の医療コネクタの中に引き戻されるように、流体容積は、引き込み可能なポストが動作しない状態に戻る結果として、医療コネクタの不動作時に増加される、医療コネクタ。
【請求項２９】
医療コネクタを作動させるための方法であって、
前記方法は、
医療コネクタの雄型ルアーを第２のデバイスの雌型ルアーコネクタの中に挿入する挿入工程であって、雌型ルアーコネクタは、コネクタが動作されないときに雄型ルアーの先端にある入口を密閉する引き込み可能なポストを配置するように構成されたスパイクを備え、それによって、流体容積を減少しながら、引き込み可能なポストと本体との間に配置された第１シールによって医療コネクタの本体内に形成された流体容積を通じて入口から出口までの流路を開く、方法。
【請求項３０】
請求項２９記載の方法において、
医療コネクタは、本体内に配置されると共に、雄型ルアーの先端の方に引き込み可能なポストを付勢するように構成された蛇腹を備える、方法。
【請求項３１】
請求項３０記載の方法において、
蛇腹は、流体が蛇腹を通って出口ポートに入るのを許容するように構成されたスリットを備える、方法。
【請求項３２】
請求項２９記載の方法において、
引き込み可能なポストは、第１直径を有する第１部分と、第１直径よりも小さい第２直径を有する第２部分とを備え、
第１シールは、引き込み可能なポストの第１部分に配置され、
医療コネクタは、更に、引き込み可能なポストの第２部分と本体との間に配置された第２シールを更に備える、方法。
【請求項３３】
請求項２９記載の方法において、
前記方法は、更に、
第２のデバイスの雌型ルアーコネクタから医療コネクタの雄型ルアーを取り除く工程を備え、それによって、流体容積を増加しながら、引き込み可能なポストが雄型ルアーの先端にある入口を密閉するのを可能にし、それによって、入口が引き込み可能なポストによって密閉されたときに、雄型ルアーの先端の周りの流体を医療コネクタの中に引き戻す、方法。
【請求項３４】
医療コネクタであって、
入口ポートと、本体の雄型ルアー部分を通じた出口ポートと、入口ポートから出口ポートまでの流路とを有する本体と、
雄型ルアー部分の先端を密閉する雄型ルアーの流路通じて延び、それによって医療コネクタが動作しないときに流路を閉じる引き込み可能なポストと、
引き込み可能なポストと本体との間に配置された蛇腹バルブであって、空洞の一部分内に流体容積を形成するように構成され、流路は流体容積を通る、蛇腹バルブと、を備え、
医療コネクタが作動されたときに、引き込み可能なポストは、雄型ルアー部分の先端から離れる方向に押され、それによって、医療コネクタを通じた流路を開くと共に、空洞の流体容積を減少させる、医療コネクタ。
【請求項３５】
請求項３４記載の医療コネクタにおいて、
蛇腹バルブは、蛇腹バルブ上の流体及び蛇腹バルブの周りの流体を出口ポートの中に導くように本体に密閉された開放端を備える、医療コネクタ。
【請求項３６】
医療コネクタを作動させるための方法であって、
前記方法は、
医療コネクタの雄型ルアーを第２のデバイスの雌型ルアーコネクタの中に挿入する挿入工程であって、雌型ルアーコネクタは、コネクタが動作されないときに雄型ルアーの先端にある入口を密閉する引き込み可能なポストを配置するように構成されたスパイクを備え、それによって、流体容積を減少しながら、引き込み可能なポストと本体との間に配置された蛇腹バルブによって医療コネクタの本体内に形成された流体容積を通じて入口から出口までの流路を開く、方法。
【請求項３７】
請求項３６記載の方法において、
蛇腹バルブは、蛇腹バルブ上の流体及び蛇腹バルブの周りの流体を出口ポートの中に導くように本体に密閉された開放端を備える、方法。
【請求項３８】
請求項３６記載の方法において、
前記方法は、更に、
第２のデバイスの雌型ルアーコネクタから医療コネクタの雄型ルアーを取り除く工程を備え、それによって、流体容積を増加しながら、引き込み可能なポストが雄型ルアーの先端にある入口を密閉するのを可能にし、それによって、入口が引き込み可能なポストによって密閉されたときに、雄型ルアーの先端の周りの流体を医療コネクタの中に引き戻す、方法。
【手続補正２】
【補正対象書類名】明細書
【補正対象項目名】０００８
【補正方法】変更
【補正の内容】
【０００８】
概念１  医療コネクタであって、
入口ポートを有する本体であって、本体の雄型ルアー部分を通じた出口ポートと、入口ポートと少なくとも一つの出口ポートとの間にある流路とを有する本体と、
雄型ルアーの先端を密閉する雄型ルアーの流路通じて延び、それによって医療コネクタが動作しないときに流路を閉じる、引き込み可能なポストと、
雄型ルアーの外面に沿って延び、引き込み可能なポストに接続された羽枝と、を備え、
医療コネクタが作動されたときに、引き込み可能なポストは、雄型ルアーの先端から離れる方向に推され、それによって医療コネクタを通じた流路を開く医療コネクタ。
概念２  概念１記載の医療コネクタにおいて、
ポストは、羽枝のアームにかけられた力によって医療コネクタから離れる方向に推される、医療コネクタ。
概念３  概念１記載の医療コネクタにおいて、
ポストは、ポストにかけられた力によって医療コネクタから離れる方向に推される、医療コネクタ。
概念４  概念１記載の医療コネクタにおいて、
医療コネクタの内部流量は、医療コネクタの不動雄型ルアーの流体及び雄型ルアーの周りの流体が不動作時に医療コネクタの中に引き戻されるように、医療コネクタの不動作時に増加される、医療コネクタ。
概念５  概念１記載の医療コネクタにおいて、
作動されないときにポストが閉じた位置に保持され、不動作時に閉じた位置に戻るように、ポストに張力をかける張力部材を更に備える、医療コネクタ。
概念６  概念５記載の医療コネクタにおいて、
張力部材は、弾性カップである、医療コネクタ。
概念７  概念５記載の医療コネクタにおいて、
張力部材は、スプリングである、医療コネクタ。
概念８  概念５記載の医療コネクタにおいて、
張力部材は、弾性蛇腹である、医療コネクタ。
概念９  概念１記載の医療コネクタにおいて、
本体は、入口ポートを有する上部と、雄型ルアーを有するベースとによって形成される、医療コネクタ。
概念１０  概念９記載の医療コネクタにおいて、
羽枝のアームは、ベースの通気孔を通じて延びる、医療コネクタ。
概念１１  概念９記載の医療コネクタにおいて、
ベースは、流体が雄型ルアーに流れるのを許容するチャンネルを含む、医療コネクタ。
概念１２  概念１記載の医療コネクタにおいて、
本体の内壁に形成された流れチャンネルを更に備える、医療コネクタ。
概念１３  医療コネクタを作動させるための方法であって、
医療コネクタは、入口ポート及び出口ポートを有する本体を備え、出口ポートは雄型ルアーの部分であり、
医療コネクタは、雄型ルアーの流れチャンネルを通じて延びるポストと、ポストに接続され、雄型ルアーの外面に隣接する一つ以上の羽枝のアームとを更に備え、
前記方法は、
医療コネクタの雄型ルアーを第２のデバイス雌型ルアーの中に挿入することと、
医療コネクタの羽枝のアームを雌型ルアーの表面と係合することと、
羽枝のアームの雌型ルアーとの係合に応じて医療コネクタの出口ポートからポストを引き込むことと、を備え、
医療コネクタの出口ポートからのポストの引き込みは、医療コネクタを通じた流路を開く、方法。
概念１４  概念１３記載の方法において、
医療コネクタは、作動されないときにポストが閉じた位置に保持され、不動作時に閉じた位置に戻るように、ポストに作用する張力部材を更に備える、方法。
概念１５  概念１３記載の方法において、
医療コネクタが動作されないときに張力部材によってポストにかけられる力を使用してポストを出口ポートの中に戻すことを更に備える、方法。
概念１６  概念１３記載の方法において、
雄型ルアーの流体及び雄型ルアーの周りの流体が不動作時に医療コネクタの中に引き戻されるように、医療コネクタの不動作時に医療コネクタの内部流量を増加することを更に備える、方法。  
概念１７  概念１３記載の方法において、
張力部材は、弾性カップ、スプリング、弾性蛇腹のうちの一つである、方法。
概念１８  概念１３記載の方法において、
医療コネクタの羽枝の雌型ルアーとの係合は、ポストの先端の雌型ルアーのスパイクとの係合によって取り換えられる、方法。
概念１９  閉じた雄型ルアーの医療コネクタであって、
上部及び底部によって形成された本体であって、内部空洞及び内部空洞の壁で形成された流れチャンネルを有すると共に、入口ポートとその長さに沿って流れチャンネルを画定する雄型ルアーとを含む出口ポートを有する本体と、
本体の内部空洞の上部と、上部から延び、流れチャンネルの長さを延びる部分を有するポストとを有する本体であって、ポストの先端が雄型ルアーを密閉するために寸法づけられ、それによってポストが雄型ルアーの中に完全に延びるときに流れチャンネルを閉じ、本体の通気孔を通じて延び、ポストが雄型ルアーの外面に隣接した一つ以上の羽枝のアームを更に備える本体と、
本体によって固定した位置に保持されたシートリングと、内部空洞の中に延び、ポストの上部を収容するカップとを有する弾性カップと、を備え、
雄型ルアーに平行な方向でかつ出口ポートから離れた方向に羽枝のアームにかけられた圧力は、本体の上部が内部空洞の中に押し上げられ、ポストが出口ポートから引き出されることを生じ、それによって、雄型ルアーを密閉せず、医療コネクタを通じた流れチャンネルを開き、弾性カップは張力をポスト本体にかけ、張力は、羽枝のアームの力が取り除かれたときに密閉位置にポストを押し戻す、医療コネクタ。
概念２０  概念１９記載の医療コネクタにおいて、
医療コネクタの内部空洞によって保持された内部流量は、雄型ルアーの流体及び雄型ルアーの周りの流体が不動作時に医療コネクタの中に引き戻されるように、弾性カップが不動作状態に戻されるように、医療コネクタの不動作時に増加される、医療コネクタ。
概念２１  概念１９記載の医療コネクタにおいて、
羽枝のアームにかけられる圧力は、雌型ルアーの上部にかけられる、医療コネクタ。
概念２２  概念１９記載の医療コネクタにおいて、
ポストにかけられる圧力は、雌型ルアーのスパイクによってポストにかけられる、医療コネクタ。
概念２３  概念１９記載の医療コネクタにおいて、
出口ポートから離れる方向にポストに沿って流体が流れるのを防止するためにポストに装着されたシールリングを更に備える、医療コネクタ。
上述は、以下の発明の詳細な説明をより良く理解できるように、本発明の特徴と技術的利点をかなり広く概説している。本発明のさらなる特徴および利点は本発明の特許請求の範囲の主題を形成する以下に説明する。開示された概念と特定の実施形態を本発明の同じ目的を実施するための他の構造を改変または設計するための基礎として利用できることが当業者には容易に理解されるべきである。また、このような等価な構成は、添付の特許請求の範囲に記載された発明の精神および範囲から逸脱しないことを当業者によって理解されるべきである。本発明の特徴であると考えられる新規な特徴は、さらなる目的及び利点と共にその構成及び動作方法の双方に関して、添付の図面と関連して考慮するときに以下の説明からより理解されるであろう。しかしながら、各図面が例示および説明の目的のために提供されており、本発明の制限の定義として意図されていないことを明示的に理解されるべきである。
本発明をより完全に理解するため、添付図面と関連してとられた以下の説明に参照がなされる。